(57)【特許請求の範囲】
【請求項１】
アルミダイキャスト製の本体と蓋体が開閉可能に連結されて筐体が構成され、本体と蓋体は底面と周壁を備え、底面と反対側に開口部を備えた箱状であり、本体の底面と周壁で囲われた収納空間内に光伝送機器が収納され、本体は対向する二つの周壁の夫々に同軸ケーブル接続端子を備え、前記同軸ケーブル接続端子は本体の周壁の底面寄りの箇所に、外側に突出して設けられたＣＡＴＶ用機器の筐体において、
前記本体の対向する二つの周壁の一方の周壁又は双方の周壁に光ケーブル接続端子が設けられ、この光ケーブル接続端子は前記同軸ケーブル接続端子よりも本体の開口部寄りであって、同軸ケーブル接続端子よりも外側であり且つ同軸ケーブル接続端子よりも外側の周壁寄りの箇所から周壁の外側に突出して設けられ、
前記本体の光ケーブル接続端子が設けられた周壁に連続する外側の周壁の内面に支持体が設けられ、
前記支持体は、前記内面であって光ケーブル接続端子寄りの箇所であって前記光ケーブル接続端子から筐体内に差し込まれるテンションメンバーの軸線方向先方に設けられて、前記光ケーブル接続端子から筐体内に差し込まれるテンションメンバーを支持することができ、
前記支持体は、本体と一体のアルミダイキャスト製であるか又は本体と別体のものが前記周壁に固定されたものであり、
前記支持体は、光ケーブル接続端子から差し込まれるテンションメンバーを支持する支持部を備え、
前記支持部は、支持体の上面であるか又は支持体を貫通する貫通孔であり、貫通孔は支持体をテンションメンバー差込み方向に貫通して、光ケーブル接続端子から差し込まれるテンションメンバーを差し込み可能である、
ことを特徴とするＣＡＴＶ機器用筐体。
【請求項２】
アルミダイキャスト製の本体と蓋体が開閉可能に連結されて筐体が構成され、本体と蓋体は底面と周壁を備え、底面と反対側に開口部を備えた箱状であり、本体の底面と周壁で囲われた収納空間内に光伝送機器が収納され、本体は対向する二つの周壁の夫々に同軸ケーブル接続端子を備え、前記同軸ケーブル接続端子は本体の周壁の底面寄りの箇所に、外側に突出して設けられたＣＡＴＶ用機器の筐体において、
前記蓋体の底面と周壁で囲われた収納空間内にも光伝送機器が収納され、
前記蓋体の対向する二つの周壁の一方の周壁又は双方の周壁に光ケーブル接続端子が設けられ、この光ケーブル接続端子は周壁の外側に突出して設けられ、
前記蓋体の光ケーブル接続端子が設けられた周壁に連続する外側の周壁の内面に支持体が設けられ、
前記支持体は、前記内面であって光ケーブル接続端子寄りの箇所であって前記光ケーブル接続端子から筐体内に差し込まれるテンションメンバーの軸線方向先方に設けられて、前記光ケーブル接続端子から筐体内に差し込まれるテンションメンバーを支持することができ、
前記支持体は、蓋体と一体のアルミダイキャスト製であるか又は蓋体と別体のものが前記周壁に固定されたものであり、
前記支持体は、光ケーブル接続端子から差し込まれるテンションメンバーを支持する支持部を備え、
前記支持部は、支持体の上面であるか又は支持体を貫通する貫通孔であり、貫通孔は支持体をテンションメンバー差込み方向に貫通して、光ケーブル接続端子から差し込まれるテンションメンバーを差し込み可能である、
ことを特徴とするＣＡＴＶ機器用筐体。
【請求項３】
アルミダイキャスト製の本体と蓋体が開閉可能に連結されて筐体が構成され、本体と蓋体は底面と周壁を備え、底面と反対側に開口部を備えた箱状であり、本体の底面と周壁で囲われた収納空間内に光伝送機器が収納され、本体の対向する二つの周壁の夫々に同軸ケーブル接続端子を備え、前記同軸ケーブル接続端子は本体の周壁の底面寄りの箇所に、外側に突出して設けられたＣＡＴＶ用機器の筐体において、
蓋体の底面と周壁で囲われた収納空間内にも光伝送機器が収納され、
前記本体と蓋体の夫々の対向する二つの周壁の一方の周壁又は双方の周壁に、光ケーブル接続端子が設けられ、
本体の光ケーブル接続端子は、本体の前記同軸ケーブル接続端子よりも本体の開口部寄りであって、同軸ケーブル接続端子よりも外側であり且つ同軸ケーブル接続端子よりも外側の周壁寄りの箇所から周壁の外側に突出して設けられ、
蓋体の光ケーブル接続端子は、蓋体の周壁の外側に突出して設けられ、
本体及び蓋体の光ケーブル接続端子が設けられた周壁に連続する外側の周壁の内面に支持体が設けられ、
前記支持体は、前記周壁内面であって光ケーブル接続端子寄りの箇所であって前記光ケーブル接続端子から筐体内に差し込まれるテンションメンバーの軸線方向先方に設けられて、前記光ケーブル接続端子から筐体内に差し込まれるテンションメンバーを支持することができ、
前記本体の支持体は、本体と一体のアルミダイキャスト製であるか又は本体と別体のものが前記本体の周壁に固定されたものであり、
前記蓋体の支持体は、蓋体と一体のアルミダイキャスト製であるか又は蓋体と別体のものが前記蓋体の周壁に固定されたものであり、
前記支持体は、光ケーブル接続端子から差し込まれるテンションメンバーを支持する支持部を備え、
前記支持部は、支持体の上面であるか又は支持体を貫通する貫通孔であり、貫通孔は支持体をテンションメンバー差込み方向に貫通して、光ケーブル接続端子から差し込まれるテンションメンバーを差し込み可能である、
ことを特徴とするＣＡＴＶ機器用筐体。
【請求項４】
請求項１又は請求項３記載のＣＡＴＶ機器用筐体において、
本体と一体のアルミダイダイキャスト製の支持体は、その下部が本体の底面に連続する、
ことを特徴とするＣＡＴＶ機器用筐体。
【請求項５】
請求項１又は請求項３又は請求項４のいずれか１項に記載のＣＡＴＶ機器用筐体において、
支持体が本体の光ケーブル接続端子を備えた二つの周壁に挟まれた一つの周壁に二つ設けられた、
ことを特徴とするＣＡＴＶ機器用筐体。
【請求項６】
請求項２記載のＣＡＴＶ機器用筐体において、
支持体が蓋体の光ケーブル接続端子を備えた二つの周壁に挟まれた一つの周壁に二つ設けられた、
ことを特徴とするＣＡＴＶ機器用筐体。
【請求項７】
請求項１から請求項６のいずれか１項に記載のＣＡＴＶ機器用筐体において、
支持体が周壁の内面に一つ又は二以上設けられ、二以上の場合はテンションメンバーの差し込み方向に離して設けられた、
ことを特徴とするＣＡＴＶ機器用筐体。
【請求項８】
請求項１から請求項７のいずれか１項に記載のＣＡＴＶ機器用筐体において、
支持体の上面の支持部が、周壁から筐体の収容空間側に向けて下り傾斜の斜面であり、その斜面にテンションメンバーを配置する嵌合溝があり、嵌合溝は光ケーブル接続端子から差し込まれるテンションメンバーの軸線方向に沿って設けられた、
ことを特徴とするＣＡＴＶ機器用筐体。
【請求項９】
請求項１から請求項８のいずれか１項に記載のＣＡＴＶ機器用筐体において、
支持体は、周壁内面であって光ケーブル接続端子寄りの箇所であって前記ケーブル接続端子から筐体内に差し込まれるテンションメンバーの方向先方に、そのテンションメンバーの軸線からセットオフして設けられて、前記光ケーブル接続端子から筐体内に差し込まれるテンションメンバーを支持することができる、
ことを特徴とするＣＡＴＶ機器用筐体。
【請求項１０】
請求項１から請求項９のいずれか１項に記載のＣＡＴＶ機器用筐体において、
支持体の上面の支持部の上に配線されたテンションメンバーの上から被せて当該テンションメンバーを押さえる押さえ具を備え、
押さえ具は、支持部の上に配線されたテンションメンバーの上に被さる被せ溝を備え、
前記押さえ具は支持部の上にネジ止め可能である、
ことを特徴とするＣＡＴＶ機器用筐体。
【請求項１１】
アルミダイキャスト製の本体と蓋体が開閉可能に連結されて筐体が構成され、本体と蓋体は底面と周壁を備え、底面と反対側に開口部を備えた箱状であり、本体は対向する二つの周壁の夫々に同軸ケーブル接続端子を備え、前記同軸ケーブル接続端子は本体の周壁の底面寄りの箇所に、外側に突出して設けられたＣＡＴＶ機器用筐体が使用され、その本体の底面と周壁で囲われた収納空間内に光通信機器が収納されたＣＡＴＶ用機器において、
ＣＡＴＶ機器用筐体が請求項１ないし請求項１０のいずれか１項に記載のＣＡＴＶ機器用筐体であり、
筐体内のパネルが、支持体への接触を回避できる凹部を備えた、
ことを特徴とするＣＡＴＶ機器。
【発明の詳細な説明】
【技術分野】
【０００１】
本願発明は、ＣＡＴＶ伝送システムに敷設されるＣＡＴＶ機器用筐体と、その筐体を使用したＣＡＴＶ機器に関する。
【背景技術】
【０００２】
ＣＡＴＶシステムの伝送路には、光同軸増幅器、双方向増幅器、延長増幅器といった各種ＣＡＴＶ機器が敷設される。ＣＡＴＶシステムの信号伝送方式には各種方式があり、その一つとして光・同軸ハイブリッド方式（ＨＦＣ方式：Hybrid Fiber/Coaxial System方式）がある。ＨＦＣ方式は、ケーブルテレビセンターから光送受信機（ノード）までの幹線については長距離伝送に適した光ケーブルを使用し、ノードから加入者宅までの支線については分岐・分配の容易な同軸ケーブルを使用する方式である。ＨＦＣ方式ではＣＡＴＶ伝送路に光伝送機器が敷設される。
【０００３】
光伝送機器敷設の一例を図９に示す。図９では光伝送機器Ａの光ケーブル接続端子Ｂに光ケーブルＣが接続され、光伝送機器Ａの同軸ケーブル接続端子Ｄに同軸ケーブルＥが接続され、分岐端子Ｆに同軸ケーブルＧが接続される。この光伝送機器Ａでは光ケーブルＣから光伝送機器Ａに入力される下り光信号が電気信号に変換（Ｏ／Ｅ変換）されて同軸ケーブル接続端子Ｄに送り出され、同軸ケーブル接続端子Ｄから光伝送機器Ａに入力される上り電気信号が光信号に変換（Ｅ／Ｏ変換）されて光ケーブル接続端子Ｂに送り出される。また、必要に応じてＯ／Ｅ変換された分岐信号が分岐端子Ｆに送り出される。図９は双方向ＣＡＴＶシステムであるが、ＣＡＴＶシステムにはケーブルテレビセンターから加入者側に下り光信号を伝送するだけの単方向ＣＡＴＶシステムもある。単方向ＣＡＴＶシステムではＥ／Ｏ変換器や、上り信号処理回路等は存在しない。
【０００４】
光伝送機器Ａは、通常は、図１０に示すように本体Ｈと蓋体Ｉとが連結部Ｊにおいて開閉可能に連結されて筐体Ｋが構成されている。本体Ｈと蓋体Ｉは必要に応じて分解する（取り外す）こともできる。通常、本体Ｈと蓋体Ｉはアルミダイキャスト製である。本体Ｈの周壁には光ケーブル接続端子Ｂ、同軸ケーブル接続端子Ｄ、個別給電用の給電端子、モニタ端子等も設けられている。本体Ｈ内には光伝送機器に必要なＯ／Ｅ変換器、Ｅ／Ｏ変換器をはじめとしてその他の機器が内蔵されており、それらの上からそれら機器の保護或いは目隠し等のために金属製のパネルＬを被せ、そのパネルＬの数箇所を本体ＨにネジＭで止めてある。蓋体Ｉには、通常、同軸ケーブルＥ（図９）に重畳されるＡＣ３０／６０Ｖや個別給電端子に給電される電源を本体Ｈ内の機器や回路に供給するための電源回路、その他の機器等が内蔵されている。
【０００５】
光伝送機器Ａは室内に設置されるものもあるが空中に架設されるものもある。空中に架設される場合、従来は図１０に示すように、光ケーブルＣの外皮を剥いで、外皮内のテンションメンバー（抗張力線）Ｔと信号線（光ファイバ）Ｎを外皮の外に引き出し、そのテンションメンバーＴと光ファイバＮを光ケーブルコネクタＯに挿入して、光ケーブルＣを光ケーブルコネクタＯに取付け、光ケーブルコネクタＯを光ケーブル接続端子Ｂに連結することにより、テンションメンバーＴと光ファイバＮを本体Ｈ内に通し、テンションメンバーＴを上向きコ字状の受け具Ｐと下向きコ字状の押さえ具Ｑで挟み、受け具Ｐを下にして前記パネルＬの上に止めネジＲで固定して、テンションメンバーＴをパネルＬに固定している。前記光ファイバＮはファイバ余長部Ｓとか他の機器や配線等と連結されている。
【０００６】
テンションメンバーＴを光伝送機器Ａに固定するための固定具として、本件出願人の出願に係る特許文献１に示すものがあるが、これは、図１０に示す受け具Ｐ、押さえ具Ｑに代えて使用するものであり、光伝送機器Ａの筐体Ｋとは別体に成型され、筐体Ｋ内のパネルＬやシャーシ等にネジ止め等して使用するものである。
【先行技術文献】
【特許文献】
【０００７】
【特許文献１】特開２００７−１２１９６７号公報
【０００８】
ＣＡＴＶ伝送システムでは、運用開始後に、システムの拡張、変更、保守点検、修理等の作業を行うことがある。この場合、光伝送機器Ａの筐体Ｋ内のＯ／Ｅ変換器、Ｅ／Ｏ変換器といった各種機器を筐体Ｋ（図１０では本体Ｈ）から取り外して引き出すことがある。しかし、テンションメンバーＴは図１０に示すように本体Ｈ内のパネルＬに固定されているため、本体Ｈ内の機器を引き出すためには、テンションメンバーＴをパネルＬから取り外して光ケーブルコネクタＯ（図１０）を光ケーブル接続端子Ｂから取外さなければならないという面倒がある。また、前記作業の終了後は、本体Ｈから引き出した機器を本体Ｈ内に戻してから、先に取り外した光コネクタＯを光ケーブル接続端子Ｂに接続し直し、さらには、テンションメンバーＴをパネルＬに固定し、光ファイバＮを本体内の下の接続箇所に接続し直さなければならないという面倒があった。これら面倒は前記特許文献１の固定具を使用した場合も同様である。
【発明の概要】
【発明が解決しようとする課題】
【０００９】
本願発明の解決課題は、テンションメンバーをパネルから取り外したり、光コネクタをＣＡＴＶ機器から取り外したりしなくても、ＣＡＴＶ機器の筐体内の各種機器を筐体から取り出すことができるようにして、テンションメンバーやケーブルを取り外す面倒や、接続し直す面倒がないＣＡＴＶ機器用筐体と、その筐体を使用したＣＡＴＶ機器を提供することにある。
【課題を解決するための手段】
【００１０】
（ＣＡＴＶ機器用筐体）
本願発明のＣＡＴＶ機器用筐体は、アルミダイキャスト製の本体と蓋体が開閉可能に連結されて筐体が構成され、本体と蓋体は底面と周壁を備え、底面と反対側に開口部を備えた箱状であり、本体の底面と周壁で囲われた収納空間内に光伝送機器が収納され、本体は対向する二つの周壁の夫々に同軸ケーブル接続端子を備え、前記同軸ケーブル接続端子は本体の周壁の底面寄りの箇所に、外側に突出して設けられたＣＡＴＶ用機器の筐体において、前記本体の対向する二つの周壁の一方の周壁又は双方の周壁に光ケーブル接続端子が設けられ、この光ケーブル接続端子は前記同軸ケーブル接続端子よりも本体の開口部寄りであって、同軸ケーブル接続端子よりも外側であり且つ同軸ケーブル接続端子よりも外側の周壁寄りの箇所から周壁の外側に突出して設けられ、前記本体の光ケーブル接続端子が設けられた周壁に連続する外側の周壁の内面に支持体が設けられ、前記支持体は、前記内面であって光ケーブル接続端子寄りの箇所であって前記光ケーブル接続端子から筐体内に差し込まれるテンションメンバーの軸線方向先方に設けられて、前記光ケーブル接続端子から筐体内に差し込まれるテンションメンバーを支持することができ、前記支持体は、本体と一体のアルミダイキャスト製であるか又は本体と別体のものが前記周壁に固定されたものであり、前記支持体は、光ケーブル接続端子から差し込まれるテンションメンバーを支持する支持部を備え、前記支持部は、支持体の上面であるか又は支持体を貫通する貫通孔であり、貫通孔は支持体をテンションメンバー差込み方向に貫通して、光ケーブル接続端子から差し込まれるテンションメンバーを差し込み可能である。
【００１１】
本願発明のＣＡＴＶ機器用筐体は、アルミダイキャスト製の本体と蓋体が開閉可能に連結されて筐体が構成され、本体と蓋体は底面と周壁を備え、底面と反対側に開口部を備えた箱状であり、本体の底面と周壁で囲われた収納空間内に光伝送機器が収納され、本体は対向する二つの周壁の夫々に同軸ケーブル接続端子を備え、前記同軸ケーブル接続端子は本体の周壁の底面寄りの箇所に、外側に突出して設けられたＣＡＴＶ用機器の筐体において、前記蓋体の底面と周壁で囲われた収納空間内にも光伝送機器が収納され、前記蓋体の対向する二つの周壁の一方の周壁又は双方の周壁に光ケーブル接続端子が設けられ、この光ケーブル接続端子は周壁の外側に突出して設けられ、前記蓋体の光ケーブル接続端子が設けられた周壁に連続する外側の周壁の内面に支持体が設けられ、前記支持体は、前記内面であって光ケーブル接続端子寄りの箇所であって前記光ケーブル接続端子から筐体内に差し込まれるテンションメンバーの軸線方向先方に設けられて、前記光ケーブル接続端子から筐体内に差し込まれるテンションメンバーを支持することができ、前記支持体は、蓋体と一体のアルミダイキャスト製であるか又は蓋体と別体のものが前記周壁に固定されたものであり、前記支持体は、光ケーブル接続端子から差し込まれるテンションメンバーを支持する支持部を備え、前記支持部は、支持体の上面であるか又は支持体を貫通する貫通孔であり、貫通孔は支持体をテンションメンバー差込み方向に貫通して、光ケーブル接続端子から差し込まれるテンションメンバーを差し込み可能である。
【００１２】
本願発明のＣＡＴＶ機器用筐体は、アルミダイキャスト製の本体と蓋体が開閉可能に連結されて筐体が構成され、本体と蓋体は底面と周壁を備え、底面と反対側に開口部を備えた箱状であり、本体の底面と周壁で囲われた収納空間内に光伝送機器が収納され、本体の対向する二つの周壁の夫々に同軸ケーブル接続端子を備え、前記同軸ケーブル接続端子は本体の周壁の底面寄りの箇所に、外側に突出して設けられたＣＡＴＶ用機器の筐体において、蓋体の底面と周壁で囲われた収納空間内にも光伝送機器が収納され、前記本体と蓋体の夫々の対向する二つの周壁の一方の周壁又は双方の周壁に、光ケーブル接続端子が設けられ、本体の光ケーブル接続端子は、本体の前記同軸ケーブル接続端子よりも本体の開口部寄りであって、同軸ケーブル接続端子よりも外側であり且つ同軸ケーブル接続端子よりも外側の周壁寄りの箇所から周壁の外側に突出して設けられ、蓋体の光ケーブル接続端子は、蓋体の周壁の外側に突出して設けられ、本体及び蓋体の光ケーブル接続端子が設けられた周壁に連続する外側の周壁の内面に支持体が設けられ、前記支持体は、前記周壁内面であって光ケーブル接続端子寄りの箇所であって前記光ケーブル接続端子から筐体内に差し込まれるテンションメンバーの軸線方向先方に設けられて、前記光ケーブル接続端子から筐体内に差し込まれるテンションメンバーを支持することができ、前記本体の支持体は、本体と一体のアルミダイキャスト製であるか又は本体と別体のものが前記本体の周壁に固定されたものであり、前記蓋体の支持体は、蓋体と一体のアルミダイキャスト製であるか又は蓋体と別体のものが前記蓋体の周壁に固定されたものであり、前記支持体は、光ケーブル接続端子から差し込まれるテンションメンバーを支持する支持部を備え、前記支持部は、支持体の上面であるか又は支持体を貫通する貫通孔であり、貫通孔は支持体をテンションメンバー差込み方向に貫通して、光ケーブル接続端子から差し込まれるテンションメンバーを差し込み可能である。
【００１３】
前記ＣＡＴＶ機器用筐体において、本体と一体のアルミダイダイキャスト製の支持体は、その下部が本体の底面に連続するものである。
【００１４】
前記ＣＡＴＶ機器用筐体において、支持体が本体の光ケーブル接続端子を備えた二つの周壁に挟まれた一つの周壁に二つ設けることができる。
【００１５】
前記ＣＡＴＶ機器用筐体において、支持体が蓋体の光ケーブル接続端子を備えた二つの周壁に挟まれた一つの周壁に二つ設けることができる。
【００１６】
前記ＣＡＴＶ機器用筐体において、支持体が周壁の内面に一つ又は二以上設けられ、二以上の場合はテンションメンバーの差し込み方向に離して設けることができる。
【００１７】
前記ＣＡＴＶ機器用筐体において、支持体の上面の支持部が、周壁から筐体の収容空間側に向けて下り傾斜の斜面であり、その斜面にテンションメンバーを配置する嵌合溝があり、嵌合溝は光ケーブル接続端子から差し込まれるテンションメンバーの軸線方向に沿って設けることができる。
【００１８】
前記ＣＡＴＶ機器用筐体において、支持体は、周壁内面であって光ケーブル接続端子寄りの箇所であって前記ケーブル接続端子から筐体内に差し込まれるテンションメンバーの方向先方に、そのテンションメンバーの軸線からセットオフして設けられて、前記光ケーブル接続端子から筐体内に差し込まれるテンションメンバーを支持することができる。
【００１９】
前記ＣＡＴＶ機器用筐体において、支持体の上面の支持部の上に配線されたテンションメンバーの上から被せて当該テンションメンバーを押さえる押さえ具を備え、押さえ具は、支持部の上に配線されたテンションメンバーの上に被さる被せ溝を備え、前記押さえ具は支持部の上にネジ止め可能である。
【００２０】
【００２１】
（ＣＡＴＶ機器）
本願発明のＣＡＴＶ機器は、アルミダイキャスト製の本体と蓋体が開閉可能に連結されて筐体が構成され、本体と蓋体は底面と周壁を備え、底面と反対側に開口部を備えた箱状であり、本体は対向する二つの周壁の夫々に同軸ケーブル接続端子を備え、前記同軸ケーブル接続端子は本体の周壁の底面寄りの箇所に、外側に突出して設けられたＣＡＴＶ機器用筐体が使用され、その本体の底面と周壁で囲われた収納空間内に光通信機器が収納されたＣＡＴＶ用機器において、ＣＡＴＶ機器用筐体が前記いずれかのＣＡＴＶ機器用筐体であり、筐体内のパネルが、支持体への接触を回避できる凹部を備えたものである。
【発明の効果】
【００２２】
本願発明のＣＡＴＶ機器用筐体を使用したＣＡＴＶ機器は、その機能拡張、保守点検、修理等の作業をするに当たって筐体内の各種機器、ユニット等を取り外すときに、テンションメンバーを筐体内のパネルから取り外したり、光ケーブルを光ケーブル接続端子から取り外したりする必要がなく、それら取り外し作業の面倒が解消される。また、前記作業終了後にテンションメンバーや光ケーブルを接続し直す必要もない。
【図面の簡単な説明】
【００２３】
【図１】本願発明のＣＡＴＶ機器用筐体を用いたＣＡＴＶ機器であって、本体に開閉可能に取付けられている蓋を１８０度開いた状態の一例を示す平面図。
【図２】本願発明のＣＡＴＶ機器用筐体の支持体部分の斜視図。
【図３】本願発明のＣＡＴＶ機器用筐体の支持体にテンションメンバーを配置し、テンションメンバーの上に押さえ具を被せてネジ止めした状態の断面図。
【図４】本願発明のＣＡＴＶ機器用筐体の支持部にテンションメンバーを固定するのに使用される押さえ具を示すものであり、（ａ）は外面側の斜視図、（ｂ）は内面側の斜視図である。
【図５】本願発明のＣＡＴＶ機器用筐体の周壁に設けた溝状のガイド内に支持体を差し込んで周壁に取付けた場合の一例を示す斜視図。
【図６】本願発明のＣＡＴＶ機器用筐体の周壁に二つ並べて設けた支持体の上にテンションメンバーを配置した場合の一例を示す斜視図。
【図７】本願発明のＣＡＴＶ機器用筐体の周壁に設けた支持体に開口した貫通孔内をテンションメンバーが貫通した場合の一例を示す斜視図。
【図８】本願発明のＣＡＴＶ機器用筐体の支持部にテンションメンバーを固定するために使用される押さえ具を示すものであり、（ａ）は押さえ具のＶ字状の溝と支持体のＶ字状の溝の間にテンションメンバーを挟んだ場合の正面図、（ｂ）は押さえ具のＷ字状の溝と支持体のＷ字状の溝の間にテンションメンバーを挟んだ場合の正面図。
【図９】ＣＡＴＶ機器の架設配線説明図。
【図１０】従来のＣＡＴＶ機器の本体に開閉可能に連結されている蓋体を１８０度開いた状態の説明図。
【発明を実施するための形態】
【００２４】
（ＣＡＴＶ機器用筐体）
本願発明のＣＡＴＶ機器用筐体の一例を図１〜図４に示す。この実施形態はＣＡＴＶ機器が光伝送機器の場合であり、外皮内にテンションメンバーと光ファイバが内蔵された光ケーブルを光伝送機器の光ケーブル接続端子に接続する場合の例である。
【００２５】
図１の光伝送機器用筐体１は、既存の筐体と同様に、アルミダイキャスト製の本体２と蓋体３が、二箇所の連結部４において開閉可能に連結されて構成されている。本体２と蓋体３は連結部４から必要に応じて取り外し可能である。本体２にはメッセンジャーワイヤーＷに取付ける（係止する）ためのワイヤー取付け部５が二つ設けられ、側面には光ケーブル接続端子６、同軸ケーブル接続端子７の他に分岐端子、個別給電用の給電端子、モニタ端子等の各種端子８も設けられている。光ケーブル接続端子６にはテンションメンバー内蔵の光ケーブルＣが光ケーブルコネクタ９により接続され、同軸ケーブル接続端子７には図８の場合と同様に同軸ケーブルＥが同軸ケーブル用コネクタ（図示せず）により接続される。光ケーブルコネクタ９は光ケーブル接続端子６にネジ込まれて固定されている。
【００２６】
図１の本体２には、図２に示すように、光ケーブル接続端子６から本体２内に差し込まれるテンションメンバーＴを本体２内で支持する支持体１０が設けられている。この支持体１０は本体２をアルミダイキャストで成型するときに本体２と一体に成型されている。支持体１０は縦細長の突条であり、本体２の周壁１１の内面１２に縦向きにして本体２の底面１３（図３）まで設けられ、内面１２から本体２内に突出して設けられている。
【００２７】
支持体１０は、光ケーブル接続端子６を備えた周壁１９と隣り合う周壁１１の内面であって、本体２内に差し込まれるテンションメンバーＴの軸線方向先方に設けて、テンションメンバーＴをその差し込み方向先方で支持できるようにしてある。支持体１０の上面にはテンションメンバーＴを支持する支持部１４が形成されている。この支持部１４は周壁１１の内面１２から本体２の内側に向けて下り傾斜に形成されて、図１のように本体２をメッセンジャーワイヤーＷに吊り下げ、蓋体３を１８０度開いて、作業者が本体２に向って作業すると、図３のようにその支持部（斜面）１４が作業者側に向いて、支持部１４にテンションメンバーＴを配置し易くなり、その上に押さえ具１５を被せ易くなり、押さえ具１５を止めネジ１６で支持部１４の止め孔１７（図２）にネジ止めし易くなるようにしてある。前記支持部１４は、可能であれば、前記下り傾斜とは反対に、本体２の内側から周壁１１の内面１２に向けて上り傾斜にすることもできる。上り傾斜とすることにより、支持部１４の上に配置したテンションメンバーＴが、押さえ具１５を被せて止めネジ１６で止めるまでの間に支持部１４の上から滑り落ちにくくなるという利点がある。
【００２８】
前記支持部１４には図２、図３のように嵌合溝１８が設けられている。嵌合溝１８は、図８（ａ）のように側面視Ｖ字形のものを一本設けることも、二本の溝をＷ字状に設けることもできる。図８（ａ）、（ｂ）の嵌合溝１８はその幅をテンションメンバーＴが収まる程度の広さにし、更に、テンションメンバーＴの軸方向（本体２内へのテンションメンバーＴの差し込み方向）に支持部１４を横断して設けて、嵌合溝１８内にテンションメンバーＴを配置し易くしてある。また、この嵌合溝１８内にテンションメンバーＴを配置すると、テンションメンバーＴの上に押さえ具１５を被せて、テンションメンバーＴを支持部１４にネジ止めするまでの間に、テンションメンバーＴが嵌合溝１８内に確実に支持されて、滑り落ちにくくなるようにもしてある。
【００２９】
前記止め孔１７は、図２に示すように、嵌合溝１８の上下に開口されている。この止め孔１７は押さえ具１５を図３のようにネジ止めするためのものである。押さえ具１５は図４（ａ）に示すように下向きコ字状であり、両側板１５ａ間の間隔を支持部１４の横幅よりも広くして、支持部１４の上に被せると両側板１５ａが支持部１４の両外側に配置されるようにしてある。また、両側板１５ａに被せ溝１５ｂを設けて、支持部１４の上に被せると、被せ溝１５ｂが図３、図８（ａ）のようにテンションメンバーＴの上に被さるようにしてある。図８（ｂ）の場合は被せ溝１５ｂを図８（ｂ）の嵌合溝１８と同じＷ字状にしてある。Ｗ字状とすることにより、テンションメンバーＴが被せ溝１５ｂの中央突起と嵌合溝１８の中央突起により挟まれて、テンションメンバーＴの挟着が一層強力になる。
【００３０】
支持体１０は必ずしもテンションメンバーＴの軸線上にある必要はなく、テンションメンバーＴの軸線から本体２の内側又は外側にオフセットしていてもよい。オフセットにすることで、テンションメンバーＴの弾性力が支持体や押さえ具に対して押し付けるように働くため、テンションメンバーＴの引っ張り抵抗が大きくなり、引っ張り耐力が向上する。
【００３１】
図１では光ケーブル接続端子６が本体２の左右の周壁１９の双方に設けられているため、支持体１０を周壁１１の幅方向両側（図１の左右両端側）に設けて、いずれの光ケーブル接続端子６からテンションメンバーＴが差し込まれても、テンションメンバーＴをネジ止めできるようにしてある。
【００３２】
（支持体の他の実施例）
図２、図３に示した支持体１０は、本体２と一体にアルミダイキャスト製にしてあるが、本体２と別体に成型したものを本体２の周壁１１の内面１２に、ネジ止めとか接着剤で取付けることもできる。その一例として、図５に示すように、本体２の周壁１１の内面１２に溝状のガイド２０を縦向きに設けておき、そのガイド２０内に、本体２と別体に成型した細長の支持体１０を差し込み、その支持体１０を本体２の周壁１１の内面１２にネジ止めするとか接着剤で接着する等して取付けることもできる。ガイド２０は溝以外のものであってもよく、例えば、周壁１１の内面１２に支持体１０の横幅よりも多少横幅の広い二本の突条を平行に縦向きに設けて、その突条間に支持体１０を配置できるようにすることもできる。
【００３３】
支持体１０は図２では本体２の周壁１１の内面１２に一つ設けてあるが、図６のように周壁１１の内面１２に横に間隔をあけて二本並べて設けることもできる。この場合は一本のテンションメンバーＴの二箇所を支持体１０に止めることができるため、テンションメンバーＴの固定が安定する。
【００３４】
支持体１０は図７に示すように、周壁１１の内面１２に横長に設け、その横幅方向に貫通孔２１を開け、その貫通孔２１内にテンションメンバーＴを貫通できるようにし、支持体１０の上面に止め孔１７を開口して、夫々の止め孔１７に止めネジ１６（図２）をねじ込んでテンションメンバーＴを支持体１０に固定できるようにすることができる。図７の支持体１０の上面も本体２の内側に向けて下り傾斜にすることも、本体２の内側から周壁１１の内面１２側に向けて上り傾斜にすることもができる。下り傾斜にすることにより、図１の場合と同様に、本体２をメッセンジャーワイヤーＷに吊り下げ、蓋体３を１８０度開いて、作業者が本体２に向って作業すると、支持体１０の上面が図３のように作業者側に向いて、上面にテンションメンバーＴを配置し易くなり、その上に押さえ具１５を被せ易くなり、押さえ具１５を止めネジ１６で上面の止め孔１７にネジ止めし易くなる。図７の止め孔１７は一つであってもよい。
【００３５】
支持体１０は、周壁１１以外の箇所に設けることもできる。可能であれば光ケーブル接続端子６を備えた周壁１９の内面に設けることも、周壁１９とそれと隣り合う周壁１１のコーナー部分に設けることもできる。いずれの場合も、光ケーブル接続端子６から本体２内に差し込まれたテンションメンバーＴをその支持体１０の上に載せることができるように、支持体１０を筐体１内に突出させる。
【００３６】
支持体１０の形状、構造、取付け箇所等は図示した以外であってもよい。支持体１０を二以上設けた場合は、それら支持体１０の形状、構造は同じでも、異なってもよい。
【００３７】
図示した実施形態は、光ケーブル接続端子６が本体２に設けられている場合であるが、光ケーブル接続端子６が蓋体３に設けられている場合は、支持体１０は蓋体３の周壁に設けることもできる。光ケーブル接続端子６が本体２と蓋体３の双方に設けられている場合は、支持体１０も本体２と蓋体３の双方に設けることができる。いずれの場合も、支持体１０の形状、構造、取付け位置等の基本は、図１〜図７に示した前記実施形態と同様にすることができる。
【００３８】
（ＣＡＴＶ機器）
本願発明に係るＣＡＴＶ機器の一例を図１に示す。図１に示すものは、前記した本願発明のＣＡＴＶ機器用筐体の本体２内に、従来のＣＡＴＶ機器と同様に、光ケーブルＣから光伝送機器に入力される下り光信号を電気信号に変換するＯ／Ｅ変換器、同軸ケーブルＥから光伝送機器に入力される上り電気信号を光信号に変換するＥ／Ｏ変換器、その他の機器等が内蔵され、それらの上からパネルＬを被せ、そのパネルＬを本体２にネジ止めし、パネルＬの上に各種ユニット２２が搭載され、これら機器やユニット２２が必要な光配線、電気配線が施されている。蓋体３にも従来のＣＡＴＶ機器と同様に、同軸ケーブルＥに重畳されるＡＣ３０／６０Ｖや個別給電端子に給電される電源を筐体１内の回路に供給するための電源回路やその他の機器等が内蔵されている。本体２の光ケーブル接続端子６には光ケーブルＣを、同軸ケーブル接続端子７には同軸ケーブルＥ（図８）を接続することができ、分岐端子には分岐ケーブルＧを接続することができる。
【００３９】
本願発明では、必要に応じて、本体２、蓋体３に他の機器、ユニット２２、回路基板等を設けることもできる。また、本体２に設けられている機器類を蓋体３に設け、蓋体３に設けられている機器類を本体２に設けることもできる。この場合は、本体２に設けられていた光ケーブル接続端子６、同軸ケーブル接続端子７、分岐端子、その他の端子等８を蓋体３に設けることができる。
【００４０】
（テンションメンバー及び光ファイバの配線）
テンションメンバーと光ファイバが内蔵された光ケーブルのテンションメンバーを、本願発明のＣＡＴＶ機器に図１のように配線する場合の一例を、図２を参照して以下に説明する。
１．光ケーブルＣの外皮先端部を剥離して、図２に示すように、テンションメンバーＴと光ファイバＮを外皮先端から突出させる。図２では図面を簡潔化するために光ファイバＮは１本しか図示していないが、通常は複数本が多い。
２．図２のように、光ケーブルＣの先端部に光ケーブルコネクタ９に取付けて、テンションメンバーＴと光ファイバＮを光ケーブルコネクタ９の先に突出させる。
３．光ケーブルコネクタ９を本体２の周壁１９に取付けられている光ケーブル接続端子６にねじ込んで連結して、テンションメンバーＴと光ファイバＮを本体２体内に突出させる。
４．本体２内に突出させたテンションメンバーＴを、本体２に設けた支持体１０の支持部１４の嵌合溝１８内に配置し、その上から支持部１４に、図４（ａ）、（ｂ）に示す押さえ具１５を図３のように被せ、その押さえ具１５を図３のように支持部１４の止め孔１７にネジ止めして、テンションメンバーＴを押さえ具１５で固定する。
５．本体２内に差し込んだ光ファイバＮを、本体２内のＯ／Ｅ変換器や光ファイバＮ等と接続する。その接続は、例えば、従来例と同様に、光ケーブルコネクタ９等を使用して行うことができる。
【産業上の利用可能性】
【００４１】
前記説明はテンションメンバーＴが光ファイバＮと共に外皮内に内蔵されている場合の例であるが、本願発明はテンションメンバーＴが光ケーブルＮの外皮の外に設けられている場合も使用することができる。その場合はテンションメンバーＴを光ケーブルコネクタ９（図２）内に挿入して光ケーブルコネクタ９の先端側に突出させ、その光ケーブルコネクタ９を光ケーブル接続端子６（図２）にネジ止めするなどして、本体２（図２）内に突出させ、その突出部を支持体１０にネジ止め等して固定することができる。
【符号の説明】
【００４２】
１  筐体
２  本体
３  蓋体
４  連結部
５  ワイヤー取付け部
６  光ケーブル接続端子
７  同軸ケーブル接続端子
８  同軸ケーブル接続端子（分岐端子等）
９  光ケーブルコネクタ
１０  支持体
１１  周壁
１２  周壁の内面
１３  本体の底面
１４  支持体の支持部
１５  押さえ具
１５ａ  押さえ具の側板
１５ｂ  押さえ具の側板の押さえ溝
１６  止めネジ
１７  止め孔
１８  嵌合溝
１９  光ケーブル接続端子を備えた周壁
２０  ガイド
２１  貫通孔
２２  ユニット
Ａ  光伝送機器
Ｂ  光ケーブル接続端子
Ｃ  光ケーブル
Ｄ  同軸ケーブル接続端子
Ｅ  同軸（幹線用）ケーブル
Ｆ  分岐端子
Ｇ  同軸（分岐用）ケーブル
Ｈ  本体
Ｉ  蓋体
Ｊ  連結部
Ｋ  筐体
Ｌ  パネル
Ｍ  止めネジ
Ｎ  光ファイバ
Ｏ  光ケーブルコネクタ
Ｐ  受け具
Ｑ  押さえ具
Ｒ  止めネジ
Ｓ  余長部
Ｔ  テンションメンバー
Ｗ  メッセンジャーワイヤー
【図１】
0005250093.tif 000002
【図２】
0005250093.tif 000003
【図３】
0005250093.tif 000004
【図４】
0005250093.tif 000005
【図５】
0005250093.tif 000006
【図６】
0005250093.tif 000007
【図７】
0005250093.tif 000008
【図８】
0005250093.tif 000009
【図９】
0005250093.tif 000010
【図１０】
0005250093.tif 000011